(57)【要約】  ボールバットなどのスポーツ用品であって、用具本体上または内部に配置したセンサを有する。センサは、用具に対する物体インパクトにより生ずる振動を検出する。検出した振動を使用して、インパクトの質、位置またはインパクトに関する他の情報を決定する。用具上または内部に配置した視覚的または可聴的フィードバック素子は、インパクトに関する情報を視覚的または可聴的に与える。【選択図】図１
2011512952.tif 000002
【特許請求の範囲】
【請求項１】
フィードバック付き用具において、
インパクト物体と、
前記インパクト物体上または内部に配置したセンサであって、前記インパクト物体に対するインパクトにより生ずる振動を検出する、該センサと、
前記インパクト物体上または内部に配置した視覚的フィードバック素子であって、前記インパクトに関する情報を視覚的に表示するために前記センサに接続する、該視覚的フィードバック素子と、
を備えた、用具。
【請求項２】
請求項１に記載のフィードバック付き用具において、前記インパクトに関する情報はインパクトの質に関する情報を有する、用具。
【請求項３】
請求項１に記載のフィードバック付き用具において、前記インパクトに関する情報は、前記インパクト物体に対する前記インパクトを生じた場所に関する情報を有する、用具。
【請求項４】
請求項１に記載のフィードバック付き用具において、前記インパクト物体は、テーパ部により胴部と連結する握り部を有するボールバットとした、用具。
【請求項５】
請求項４に記載のフィードバック付き用具において、前記センサをテーパ部または握り部上または内部に配置した、用具。
【請求項６】
請求項１に記載のフィードバック付き用具において、さらに、前記センサに接続する電源を備える、用具。
【請求項７】
請求項１に記載のフィードバック付き用具において、前記視覚的フィードバック素子は、少なくとも一つのＬＥＤを有する、用具。
【請求項８】
請求項７に記載のフィードバック付き用具において、前記センサを、前記インパクトの質に応じた色で前記ＬＥＤが点灯するように信号を送信するよう構成した、用具。
【請求項９】
請求項７に記載のフィードバック付き用具において、複数のＬＥＤを、前記インパクト物体の周縁に配置したストリップ内に収容した、用具。
【請求項１０】
請求項１に記載のフィードバック付き用具において、前記センサおよび前記視覚的フィードバック素子を前記インパクト物体に固定したハウジング内に配置する、用具。
【請求項１１】
請求項１０に記載のフィードバック付き用具において、前記ハウジングを前記インパクト物体の窪み領域に配置し、前記ハウジングの半径方向外面は、前記インパクト物体における長手方向に隣接する領域の半径方向外面に対してほぼ段差がないようにした、用具。
【請求項１２】
請求項１に記載のフィードバック付き用具において、前記センサおよび視覚的フィードバック素子を、前記インパクト物体に取り外し可能に固定したオーバーラップカバー内に配置した、用具。
【請求項１３】
請求項１に記載のフィードバック付き用具において、さらに、前記インパクト物体上または内部における可聴的応答システムを備えた、用具。
【請求項１４】
請求項１に記載のフィードバック付き用具において、前記インパクト物体は、ゴルフクラブ、ホッケースティック、テニスラケットおよびアーチェリーの弓のうち一つとした、用具。
【請求項１５】
ボールバットにおいて、
握り部と、
胴部と、
前記胴部に前記握り部を連結するテーパ部と、
前記握り部、前記胴部および前記テーパ部の少なくとも１つの上または内部に配置したフィードバックシステムであって、少なくとも１つの視覚的応答システムおよび可聴的応答システムを有する、該フィードバックシステムと
を備えた、バット。
【請求項１６】
請求項１５に記載のボールバットにおいて、前記フィードバックシステムは、前記ボールバットに対するインパクトの質を視覚的に表示する視覚的応答システムを有する、バット。
【請求項１７】
請求項１５に記載のボールバットにおいて、前記フィードバックシステムは、前記ボールバットに対するインパクトの質を可聴的に表示する可聴応答システムを有する、バット。
【請求項１８】
請求項１５に記載のボールバットにおいて、前記フィードバックシステムは、前記胴部のスイートスポットに対する、インパクトを生じた前記インパクト物体におけるおおよその位置を表示する、ボールバット。
【請求項１９】
フィードバック付き用具において、
インパクト物体と、
前記インパクト物体に対するインパクトにより生ずる振動を検出する手段であって、前記インパクト物品上または内部に配置した検出手段と、
前記検出手段に関連して、前記インパクトに関する情報を有する、視覚的フィードバックおよび可聴的フィードバックの少なくとも一方を供給するフィードバック手段と、
を備えた、用具。
【請求項２０】
請求項１９に記載のフィードバック付き用具において、前記インパクト物体は、ボールバット、ゴルフクラブ、ホッケースティック、テニスラケットおよびアーチェリーの弓のうち１つとした、用具。
【請求項２１】
フィードバック付き用具において、
物体に固定するよう構成したハウジングと、
振動を検出するため前記ハウジング内に配置したセンサと、
前記ハウジング上または内部に配置した視覚的フィードバック素子であって、前記センサに接続して、検出した振動に関連する情報を視覚的に表示する、該視覚的フィードバック素子と、
を備えた用具。
【請求項２２】
請求項２１に記載のフィードバック付き用具において、前記視覚的フィードバック素子は、少なくとも一つのＬＥＤを有する、用具。
【請求項２３】
請求項２２に記載のフィードバック付き用具において、前記センサは、前記ハウジングを固定した前記物体に対するインパクトの質に対応する色でＬＥＤを点灯させる信号を送るよう構成した、用具。
【請求項２４】
請求項２１に記載のフィードバック付き用具において、さらに、前記ハウジング内に可聴的応答システムを備えた、用具。
【請求項２５】
物体に固定するためのフィードバック付き用具において、
スリーブと、
前記スリーブ内で振動を検出するセンサと、
前記スリーブ上または内部に配置したフィードバック素子であって、前記センサに接続して、検出した振動に関連する情報を表示する、該フィードバック素子と、
を備えた、用具。
【請求項２６】
フィードバック付き用具において、
ハウジングと、
前記ハウジング内で振動を検出するセンサと、
前記ハウジング内に配置して前記センサに接続する電源と、
前記ハウジング上または内部に配置した複数のＬＥＤであって、前記センサに接続して検出した振動に関連する情報を表示する、該ＬＥＤと、
前記ハウジングに取り付けた複数の前記ＬＥＤをカバーまたは包囲する、透明なストリップまたはケーシングと、
を備えた、用具。
【発明の詳細な説明】
【技術分野】
【０００１】
スポーツ用品、例えばボールバット、ホッケースティックまたはゴルフクラブを使用するとき、プレーヤーのパフォーマンスを評価するフィードバックが得られることはプレーヤーにとって有益である。プレーヤーがボールバットをスイングし、投げられた球を打撃するとき、例えば、バットのどこでボールのインパクトが生じたかをプレーヤーが知ることは一般的に有益である。これをプレーヤーが決定することは、しかしながら、スイングの速度および動いているボールに対してプレーヤーが集中しているために困難である。
【背景技術】
【０００２】
プレーヤーは、例えば、常に、握り部とバット胴部の「スイートスポット」との間におけるボールバットの一部で、投球されたボールを打っていることに気付かない。バットのこの部分でボールを打撃することは、場合によっては適切なパフォーマンスを行えるが、最高のパフォーマンスを達成できない。しかし、プレーヤーは、最適なボールコンタクトをすることができない。結果として、プレーヤーは、常にバット胴部のスイートスポットまたはその近傍でボールを打撃するために必要な、スイング調整をすることはできない。
【発明の概要】
【発明が解決しようとする課題】
【０００３】
プレーヤーは、しばしば、ボールバットまたは他のスポーツ用品によるインパクトの質および位置に関するフィードバックを与えるスイングコーチまたはスイングインストラクターを採用する。そのようなインストラクターの採用は高い費用を要する、しかしプレーヤーが有意義なフィードバックを得るためにはインストラクターの存在は必要である。さらに、プロのスイングコーチまたはインストラクターはしばしば、バットまたは他のインパクト物体に対するインパクト位置（裸眼では決定するのは困難）よりも、プレーヤーのスイングのメカニズムに注目する。
【０００４】
精緻なコンピュータプログラムおよび装置も開発され、プレーヤーがスイングパフォーマンスに関するフィードバックを得るようにした。この装置は一般的に高価であり、しかも、プレーヤーは装置を使用するため指定場所に行かなければならない。したがって、プレーヤーのスイングパフォーマンスに関するフィードバックをプレーヤーが得るには、困難であり、時間および／または高額費用を伴うものであることがよくある。
【課題を解決するための手段】
【０００５】
ボールバットなどのスポーツ用品であり、用具の本体上に配置したセンサを設ける。センサは用具に対する物体インパクトにより生ずる振動を検出する。検出した振動を使用して、インパクトの質もしくは位置、またはインパクトに関する他の情報を決定する。用具上または用具内部における、視覚的および／または可聴的なフィードバック要素は、視覚的におよび／または可聴的にインパクトに関する情報を与える。
【０００６】
他の特徴および利点は、以下の説明により明らかとなるであろう。上述の特徴は、個別にもしくは同時に、またはそれらの一つ以上のみ合わせて使用できる。
【０００７】
図面において、全体にわたり同一参照符号は、同様の要素を示す。
【図面の簡単な説明】
【０００８】
【図１】一実施形態による、視覚表示システムを有するボールバットの斜視図である。
【図２】図1に示すボールバットのテーパ区域であって、一部を切除して視覚表示システムのコンポーネントを露出させた状態を示す、斜視図である。
【図３】ボールバットにおける第２振動モードのノード（節）および反ノード（腹）の大まかな位置を示するボールバットの概略的側面図である。
【発明を実施するための形態】
【０００９】
本発明の様々な実施形態を以下に説明する。以下の説明は、これら実施形態の完全な理解および実施可能な記載のための特別な詳細を提供する。しかし、当業者は、これら多くの詳細がなくても本発明を実行できることは理解するであろう。さらに、若干の既知の構造または機能は、さまざまな実施形態の関連説明を不必要に紛らわしくすることを避けるために、詳細には図示または記載しない。
【００１０】
以下の説明で使用する用語は、本発明の特別な実施形態の詳細な説明に関連して使用するが、最も広く合理的に解釈されることを意図する。特定用語を以下で強調するが、任意の限定的に解釈されることを意図する何らかの用語は、この詳細な説明部分において明確かつ特別に定義する。
【００１１】
文脈が限定する場合、一つあるいは複数の単語はまた、複数あるいは一つの単語を、それぞれ有する。さらにその上、単語「または」を二個以上の要素のリストにおいて他の要素から一つのアイテムのみを除外する意味として限定的に表現するにもかかわらず、そのようなリストにおける「または」の使用は、（ａ）リスト内における任意の一つの要素、（ｂ）リストにおける全要素、または（ｃ）リスト内の任意な要素の組み合わせを含むものとして解釈する。
【００１２】
本明細書に記載するフィードバックシステムは、任意の適切なスポーツ用品またはインパクト物体に使用することができる。例えば、視覚的または可聴的なフィードバックシステムは、ボールバット、ゴルフクラブ、ホッケースティック、テニスラケット、アーチェリーの弓または他の適切な用具に設けることができる。説明を簡単にするため、本明細書の詳細な説明部分にわたりボールバットを主要例として使用する。しかし、本明細書に記載するフィードバックシステムを、任意の適切なスポーツ用品またはインパクト物体に組み込むことができることを理解されたい。
【００１３】
以下に、図１に示すように、図面の詳細につき説明すると、本明細書は「ボールバット」または「バット」と総称的に称する、野球またはソフトボールのバット１０は、握り部１２、胴部１４、握り部１２を胴部１４に結合するテーパ部１６を有する。握り部１２の遊端（free end）は、ノブ１８または同様の構造を有する。胴部１４は、好適には、適切なキャップ２０またはプラグにより閉鎖する。バット１０の内部は、好適には中空にして、バット１０を比較的軽量にすることができ、これにより、ボールプレーヤーはバット１０をスイングするときに十分なバットスピードを生ずることができるようなる。
【００１４】
ボールバット１０は、練習用バット、認可されたリーグ試合で使用するよう構成したバット、またはおもちゃのバット、あるいは他の非公式バットとすることができる。ボールバット１０を一つ以上の繊維複合材、金属、木材、プラスチックまたは他の適切な材料で形成できる。ボールバット１０は、一体ピースの構造とする、または２個以上の個別の取り付けピース（例えば、分離した握り部および胴部）を有することができる。
【００１５】
一実施形態において、ボールバット１０には視覚表示システム２１を設ける。この視覚表示システム２１は、ボールバット１０の周りに配置して固定したハウジング２３内に、カプセル封入する、埋設する、または収容する。ハウジング２３は、成形プラスチック、ゴムまたは他の適切な材料で形成することができる。ハウジング２３は、テーパ部１６、握り部１２または任意の適切なボールバット１０の区域に配置することができる。代替的な実施形態において、視覚表示システム２１の１つ以上のコンポーネントは、バット材料自体、例えば、ボールバットの１つ以上の繊維複合材層内にカプセル封入することができる。視覚表示システム２１は、さらに代案として、任意の適切な方法でボールバット１０に取り付けることができる。
【００１６】
一実施形態において、ボールバット１０は窪み領域を有するものとし、バット１０の本体を構成した後に、この窪み領域内にハウジング２３を配置するまたは挿入する。したがって、視覚表示システム２１は、ボールバット１０とは別個に製造することができ、またバット製造の最終段階中（または製造完了後）にバットに取り付けることができる。挿入後に、ハウジング２３の半径方向外面は、好適には、ボールバット１０の長手方向に隣接する区域の半径方向外面に対して段差が全くない、またはほぼ段差がないようにし、これにより、ハウジング２３と長手方向に隣接する区域との間に比較的平滑な遷移部を生ずるようにする。一実施形態において、窪み領域は深さを有し、ハウジング２３は対応する厚さを有し、それぞれ約５．０８ｍｍ〜６．３５ｍｍ（０．２０インチ〜０．２５インチ）の寸法とする。窪み領域およびハウジング２３は、勿論、任意の他の適切な寸法とすることができる。
【００１７】
一実施形態において、ハウジング２３は、ゴム、または他の弾性的なスリーブとすることができ、ボールバット１０の握り部の端部からボールバット１０の窪み領域に引っ張り上げるまたは滑り上げることができる。代替案として、ハウジング２３を、プラスチックまたは同様の材料で形成し、また周方向の開口を設け、互いに対向する２個の遊端を有するものとする。これら遊端を互いに離れる方向に引っ張り、したがって、ハウジング２３を、窪み領域上で所定位置にスナップ嵌合または強制収容することができる。遊端には、随意的に整合タブまたは他の整合素子を設け、ハウジング２３を窪み領域に挿入した後に遊端相互間に強固な係合を生ずるようにする。ハウジング２３には、随意的に遊端が開放位置に分離できるように可動ヒンジまたは同様の機構を設けることができる。ハウジング２３をボールバット１０の窪み領域上に位置決めした後に、遊端を互いに閉じた状態にする。
【００１８】
視覚表示システム２１には一個以上のセンサ２２を設ける。説明を分かり易くするために、単独のセンサ２２を本明細書で説明する。センサ２２は、ボールバットの加速度または速度を検出する加速度計または同様なデバイス、ボールバットにおける振動を検出するモードセンサトリガー、または任意の適切な感知デバイスとすることができる。付加的にまたは代替的に、インパクト、慣性または変位を感知する素子を使用することができる。センサ２２は、好適にはプロセッサを有する、プロセッサに電気的に接続する。センサ２２は例えば、ＭＥＭＳ（微小電気機械システム）プロセッサデバイスまたはチップ内に実装することができる。
【００１９】
センサ２２はボールバット１０における振動を、例えばバット１０がボールに衝突するときに生ずる振動を検出する。精緻なセンサ２２、例えば１個以上のＭＥＭＳセンサの使用は、例えば付加的なまたは代替的な測定結果を得ることができる。打撃の周波数、最大打撃エネルギー、スイング速度および他の適切なパラメータを、例えば、１個以上の適切な感知デバイスを使用することで測定できる。説明を分かり易くするため、振動検出を本明細書で主に説明する。
【００２０】
振動の強度に基づいて、センサ２２はボールバット１０に対するインパクトがどのあたりで生じたかを決定する。変位または振動は、ボールバット１０における振動の第１ノード（節）、例えば、胴部１４の「スイートスポット」でほぼ最小となり、このスイートスポットは一般的に、ボールバット１０の打撃中心またはその近傍である。反対に、変位または振動は、一般的にボールバット１０における振動の反ノード（腹）で最大となる。ボールがバット１０に対して、振動の第１ノードから離れた位置でインパクトを生ずるとき、ボールの入射エネルギーの一部はボールバットの振動モードを生成する。振動の第２モードは特に有益であり、これは、振動の第２モードはバッターが直接感じる振動数（例えば大体６００Ｈｚ）に一致する基本振動数範囲を示すからである。
【００２１】
したがって、一般的には、センサ２２を振動の第２モードの反ノード（腹）またはその近傍に配置することが好適であり、反ノードは一般的にボールバット１０のテーパ部またはその近傍で発生する。図３は、振動の第２モードにおける一般的なボールバットの変形曲線特性を示す。点線が交差するポイントは、ボールバット１０における振動に関する第２モードの一次振動ノードの位置を示す。点線のピークまたは、最もノードから離れた位置は、ボールバット１０の振動における第２モードの反ノード（腹）に関する長手方向におけるおおよその位置である。好適な実施形態では、センサ２２をこの位置にまたはその近傍に配置する。
【００２２】
センサ２２を、好適には１個以上のワイヤまたは金属ストリップ２５により、光アセンブリ２６、液晶ディスプレイ（「ＬＣＤ」）またはハウジング２３上または内部における（または個別の）他の視覚表示装置に電気的に接続する。センサ２２は、代替案として、任意の適切な無線接続技術により光アセンブリ２６に無線接続する。光アセンブリ２６は、１個以上のＬＥＤ（発光ダイオード）、ランプ、電球または他の適切なセンサ２２に電気接続した光デバイスを有する。光アセンブリ２６は、好適には、透明（または半透明）ストリップ２９によりカバーする、または透明（または半透明）ケーシング内に包囲し、それらを通して観察者がＬＥＤを見ることを可能にする。一実施形態において、ハウジング２３全体を透明または半透明にすることができる。
【００２３】
一実施形態において、複数のＬＥＤ２７または他の光源を、ボールバット１０のテーパ部１６、握り部１２または胴部１４（好適にはスイートスポットから離れる位置）の周縁周りに配置する。付加的にまたは代替的に、ＬＥＤ２７、ボールバット１０上の透明または半透明キャップ２０またはノブ１８内に配置することができる。一実施形態において、ＬＥＤ２７を、テーパ部１６、キャップ２０およびノブ１８内（または握り部１２上）に配置し、また同時にする、または所定シーケンスでトリガし、ボールバット１０に対するインパクトに関するフィードバックを生ずるようにする。このことを、以下に詳細に記載する。
【００２４】
各ＬＥＤ２７は、好適には、様々な色または光度で点灯可能にする。代替案として、所定のＬＥＤ２７は１つ以上の色または光度で点灯するとともに、他のＬＥＤ２７は１つ以上の異なる色または光度で点灯することができる。このようにして、光源の異なる色もしくは光度、または異なる点灯シークエンスを使用することで、ボールバット１０に対するインパクトの異なる質または特性を表示することができる。
【００２５】
センサ２２を、好適には、電源、例えば１つ以上のバッテリに電気的に接続する。電源は、代替案として、ボールバット１０における変形で付勢される圧電ストリップとする、または任意の適当な他の電源とすることができる。バッテリ２４は、標準ＡＡＡバッテリ、または任意の他の適切なサイズのバッテリとすることができる。バッテリ２４は、センサ２２に電力を供給して、次に光アセンブリ２６を動作させ、このことを以下に詳細に記載する。バッテリは好適には、アクセスドアまたはパネル２８から取り外し可能にし、電池切れ後に取り換えることができる。アクセスパネル２８を、ねじ３０、ピン、ラッチまたは他の適切な機構により、ハウジング２３の所定場所に取り付ける。パネル２８をヒンジにより連結する、または完全に取り外し可能にする。
【００２６】
一実施形態において、ボールに衝突した後、センサ２２がボールバット１０にほとんどあるいは全く振動を検出しない場合、例えば、センサ２２は、「よいコンタクト」または質の高いインパクトが生じたことを示する色（例えば緑）で１つ以上のＬＥＤ２７を点灯するように信号を送る。逆に、ボールに衝突した後にセンサ２２が大きな振動を検出する場合、「悪いコンタクト」または質の低いインパクトが生じたことを示する色（例えば赤）で１つ以上のＬＥＤ２７を点灯するように信号を送る。
【００２７】
本明細書で用いる場合、インパクトの「質」は、インパクト（高質の場合低振動数を有する）により生じた振動量、またはスイートスポットからのインパクト箇所の距離（低質の場合大きな距離となる）、インパクトに関する任意の他の有益なフィードバックを表す。一実施形態において、種々の反ノード（腹）におけるインパクトにより生ずる振動の変位、速度、加速度の大きさは、ノードでのインパクトに対して較正することができる。この情報を使用して、ボールバット１０に対してその後にインパクトを生ずる、スイートスポット（または他のノード）からのおおよその距離を決定する。
【００２８】
一実施形態において、種々の色または点灯シークエンスを使用して、インパクトの質の程度を表示することができる。例えば、緑の光を使用して、ほとんどまたは全く振動を生じないスイートスポットのインパクトを表示し、；黄色の光を使用して、「緑光のインパクト」より大きな振動を生ずるスイートスポットに比較的近くのインパクトを表示し、オレンジの光を使用して、「黄色光のインパクト」より大きな振動を生ずるスイートスポットから離れたインパクトを表示し、赤い光を使用して、「オレンジの光のインパクト」より大きな振動を生ずるスイートスポットからより遠くに離れたインパクト（例えば、振動の第２モードの非ノードまたはその近傍）を表示することができる。色または点灯シークエンスを異ならせることにより、付加的にまたは代替的に、スイートスポットと胴部の遊端との間で衝突（インパクト）が起こったか否かを表示する、またはスイートスポットとボールバットのテーパ部との間で起こったか否かを表示することができる。光インジケータまたは点灯シークエンスの任意の適切な組み合わせを使用することができる。
【００２９】
別の実施形態において、１個以上の圧力接触スイッチまたはセンサを、付加的にまたは代替的に、ボールバット１０上または内部に設け、ボールバット１０のどこでインパクトを生じたかを決定することができる。圧力接触スイッチは、好適には、電気的にまたは無線で光アセンブリ２６に接続する。一実施形態では、各圧力接触スイッチは、圧力接触スイッチの位置またはその近傍のインパクトに応じて、圧力接触スイッチの位置に対応する色で１個以上のＬＥＤ２７を点灯するように光アセンブリ２６に信号を送信する。このようにして、異なる色または光度の光を使用して、種々の位置に配置した圧力接触スイッチの位置またはその近傍で生ずるインパクトを表示することができる。
【００３０】
例えば、インパクトが胴部１４のスイートスポットに配置した第１圧力接触スイッチまたはその近傍で発生した場合、第１圧力接触スイッチは、１個以上のＬＥＤ２７が緑色で点灯するように光アセンブリ２６に信号を送信する。もし、インパクトがスイートスポットから遠く離れた位置の第２圧力接触スイッチまたはその近傍で発生した場合、逆に第２圧力接触スイッチは、１個以上のＬＥＤ２７が赤色で点灯するように光アセンブリ２６に信号を送信する。同様に、様々なバットの位置に配置した圧力接触スイッチは、インパクトの質を示す種々の色または点灯シークエンスで、１個以上のＬＥＤ２７を点灯するように信号を送信する。
【００３１】
圧力接触スイッチは、バット材料、例えば繊維複合材ボールバットの複合層内にカプセル封入することができる。代替案として、圧力接触スイッチを、個別のカバーまたは上側ラップ内に埋設し、これらカバーまたは上側ラップを任意のボールバットの外部に固定する。例えば、圧力接触スイッチは、フックおよびループ材料による、または任意の他の適切なコネクタにより整合する端部を有する薄いナイロンまたはプラスチックのカバー内に収容することができる。このようにして、カバーをボールバットから容易に取り外し可能に取り付けることができ、複数のボールバットに使用できる。
【００３２】
別の実施形態において、センサ２２に電気的に接続した可聴的応答素子を、光アセンブリ２６に付加して、または代替的に使用する。可聴的応答素子は、随意的にハウジング２３内に設けることができる。可聴的応答素子は、圧電スピーカまたは任意の他の適切なオーディオ機器とすることができる。可聴的応答素子は、スイートスポットまたはその近傍でインパクトが生じたときに第１サウンドを生じ、スイートスポットから遠方でインパクトが生じた時に異なる第２サウンドを生ずる。異なる望ましい数のサウンドを使用して、異なるインパクト位置を示すことができる。付加的にまたは代替的に、可聴的応答素子は、異なるインパクト位置を示すために、変動する数の「ビープ」または他のサウンドを生ずるようにする。任意の他の適切な可聴的応答素子またはサウンドパターンを使用して、異なるインパクト位置を表示することができる。
【００３３】
別の実施形態において、視覚的表示システム２１は、ボールバット１０に対するインパクトの質を示す言葉または他の視覚要素を照明する。視覚表示システム２１は、例えばバット胴部１４のスイートスポットに対するインパクト位置に基づいて、「ナイスヒット（nice hit）」または「プアヒット（poor hit）」を照明する。このことは、好適な文字または言葉を表す不透明な外形を有する透明シートの裏にＬＥＤ２７または他の光源を配置する、または任意の他の適切な方法により実行できる。任意の好適な言葉または他の視覚表示を、視覚ディスプレイ内に設けることができる。
【００３４】
ほぼ上述のように作動する視覚的フィードバックシステムは、同様に他のインパクト物体にも設けることができる。例えば、視覚的フィードバックシステムを、ゴルフクラブ、ホッケースティック、アーチェリーの弓または他の適切な物体に設けることができる。
【００３５】
ゴルフクラブにおいて、クラブヘッドに対するインパクトにより生ずるクラブヘッド内の振動を検出するために、クラブヘッドまたはシャフトにセンサを埋設または固定する。他のスイングまたはインパクトのパラメータを、上述のように、付加的または代替的に測定できる。電源を、クラブヘッドまたはシャフト内に埋設または固定するとともに、光システムまたは他の視覚的ディスプレイをクラブヘッドの頂面または任意の他の適切な位置に設けることができる。
【００３６】
ホッケースティックにおいて、ブレードに対するインパクトにより生ずるブレード内の振動を検出するために、ブレードまたはスティックシャフト内にセンサを埋設または固定する。他のスイングまたはインパクトのパラメータを、上述のように、付加的または代替的に測定できる。電源を、ブレードまたはスティックシャフト内に埋設または固定するとともに、光システムまたは他の視覚的ディスプレイをブレードの頂面または任意の他の適切な位置に設けることができる。
【００３７】
アーチェリーの弓において、矢を放つことにより生ずる変位エネルギーを検出するために、センサを弓に埋設または固定する。電源を弓の任意の適切な位置に埋設または固定する。光システムまたは他の視覚的ディスプレイを、照準とリムとの間の弓のライザー内、透明な矢ガイド内、または任意の他の適切な位置に配置する。
【００３８】
上述の実施形態のいずれかを、単独でまたは互いに組み合わせて使用できる。いくつかの実施形態を図面につき説明したが、様々な変更および修正を、本発明の精神および範囲から逸脱することなく実施可能である。本発明は、したがって、添付の特許請求の範囲およびその均等物を除いて、限定されない。
【図１】
2011512952.tif 000003
【図２】
2011512952.tif 000004
【図３】
2011512952.tif 000005
【国際調査報告】
2011512952.tif 000006